(57)【要約】【課題】静電気の影響を受けにくいカード挿入部およびカードリーダを提供すること。【解決手段】カードリーダ１のカード挿入部４は、光源７〜１０を搭載したリジッド基板１１を備えており、カード挿入口３の周りを発光させる演出を行う。光源７〜１０が搭載されたリジッド基板１１とベースプレート１２の間には絶縁部材１５が介在する。リジッド基板１１は、カード２が通過する開口１１ａを囲む接地配線パターン２０を備える。カード挿入部４は、接地配線パターン２０と電気的に接続されたリード線３０を備えており、リード線３０は、カードリーダ本体５のフレーム５０と電気的に接続されている。リード線３０の一端は、リジッド基板１１のスルーホール２５に挿入されて固定される。リード線３０の他端は、ベースプレート１２をフレーム５０に固定するネジ５４によってフレーム５０に固定される。【選択図】図１
2019148862.tif 000002
【特許請求の範囲】
【請求項１】
カードリーダ本体へカードを取り込むためのカード挿入口が形成され、前記カードリーダ本体に取り付けられるカード挿入部であって、
前記カードリーダ本体に固定されるベースプレートと、
前記ベースプレートに対して前記カードリーダ本体とは反対側に配置され、前記ベースプレートとは反対側の面に光源が搭載される基板と、
前記基板を前記ベースプレートとは反対側から覆う光透過性のカバーと、
前記基板と前記ベースプレートとの間に配置される絶縁部材と、
前記基板に接続される可撓性の配線部材と、を有し、
前記基板には、前記カードが通過する開口と、前記開口を囲む領域に形成される接地配線パターンが設けられ、
前記接地配線パターンは、前記可撓性の配線を介して前記カードリーダ本体と電気的に接続されることを特徴とするカード挿入部。
【請求項２】
前記可撓性の配線部材は、リード線であることを特徴とする請求項１に記載のカード挿入部。
【請求項３】
前記基板には、前記接地配線パターンに対して電気的に接続されたスルーホールが形成され、
前記リード線の一端がスルーホールに挿入されることを特徴とする請求項２に記載のカード挿入部。
【請求項４】
前記可撓性の配線部材は、金属製の固定部材によって前記ベースプレートおよび前記カードリーダ本体の少なくとも一方に固定されることを特徴とする請求項１から３の何れか一項に記載のカード挿入部。
【請求項５】
前記固定部材は、前記ベースプレートを前記カードリーダ本体に固定する部材として兼用されることを特徴とする請求項４に記載のカード挿入部。
【請求項６】
前記接地配線パターンは、前記開口に向かって突出する複数の突起が前記開口の縁に沿う方向に並ぶギザギザ状の部分を備えることを特徴とする請求項１から５の何れか一項に記載のカード挿入部。
【請求項７】
前記接地配線パターンは、前記開口を全周で囲むことを特徴とする請求項６に記載のカード挿入部。
【請求項８】
請求項１から７の何れか一項に記載のカード挿入部と、前記カード挿入部が固定されるカードリーダ本体と、を有することを特徴とするカードリーダ。
【発明の詳細な説明】
【技術分野】
【０００１】
本発明は、カードリーダおよびそのカード挿入部に関する。
【背景技術】
【０００２】
特許文献１のカードリーダは、カード挿入口が形成されたカード挿入部と、カード挿入口から挿入されたカードに対して情報の読み取りや書込みなどの処理を行うカードリーダ本体を備える。カード挿入部は、カード挿入口が形成されたカバー部材を光透過性とし、カバー部材の裏側に光源を配置して、カード挿入口の周囲が発光するように構成している。光源を搭載した基板はベースプレート（補強板）に固定される。カードリーダ本体はフレームを備えており、カード挿入部はベースプレートをフレームに固定することによってカードリーダ本体に固定される。
【先行技術文献】
【特許文献】
【０００３】
【特許文献１】特開２０１５−２３２８２２号公報
【発明の概要】
【発明が解決しようとする課題】
【０００４】
カードリーダは、静電気等により帯電したユーザの手指がカード挿入部のカバー部材に触れると、カード挿入口の内側へ静電気が飛ぶことがある。カード挿入口の内側へ静電気が飛ぶと、光源が搭載された基板に静電気が印加される。従って、静電気により誤作動が発生するおそれがある。また、静電気により基板上の電子部品や光源が壊れ、基板が故障するおそれがある。
【０００５】
特許文献１では、基板の裏側に金属製のベースプレートが配置され、ベースプレートに対して基板の裏面が接触する。従って、ベースプレートを介して基板がカードリーダ本体と電気的に接続されるので、ベースプレートを介して静電気をカードリーダ本体へ逃がすことができる。よって、静電気によって誤作動や基板の故障が発生するおそれが少ない。
【０００６】
カード挿入部に光源を搭載した基板が配置されるカードリーダにおいて、演出のために光源の数や種類を増やす場合がある。基板に搭載される光源の種類や数が増えると、基板に形成される回路パターンが複雑化する。そのため、基板の裏側に回路パターンを形成したり、基板を貫通するスルーホールを形成する場合がある。このような構成を採用する場合には、スルーホールや回路パターンがベースプレートと接触して短絡することを避けるために、ベースプレートと基板との間に絶縁部材を配置することが好ましい。しかしながら、基板とベースプレートとを絶縁すると、ベースプレートから静電気を逃がすことができなくなるので、静電気による誤作動や故障を防ぐことができなくなる。
【０００７】
以上の問題に鑑みて、本発明の課題は、基板とベースプレートとの間に絶縁材を介在させた場合においても、静電気の影響を受けにくい構成を提供することにある。
【課題を解決するための手段】
【０００８】
上記課題を解決するために、本発明は、カードリーダ本体へカードを取り込むためのカード挿入口が形成され、前記カードリーダ本体に取り付けられるカード挿入部であって、前記カードリーダ本体に固定されるベースプレートと、前記ベースプレートに対して前記カードリーダ本体とは反対側に配置され、前記ベースプレートとは反対側の面に光源が搭載される基板と、前記基板を前記ベースプレートとは反対側から覆う光透過性のカバーと
、前記基板と前記ベースプレートとの間に配置される絶縁部材と、前記基板に接続される可撓性の配線部材と、を有し、前記基板には、前記カードが通過する開口と、前記開口を囲む領域に形成される接地配線パターンが設けられ、前記接地配線パターンは、前記可撓性の配線を介して前記カードリーダ本体と電気的に接続されることを特徴とする。
【０００９】
本発明では、カード挿入部のカバーが光透過性であり、カバーの内側には、光源を搭載した基板が配置されている。従って、カード挿入口の周りを発光させる演出を行うことができる。また、光源が搭載された基板とベースプレートの間には絶縁部材が介在するので、基板の裏面に形成された回路パターンや基板を貫通するスルーホールがベースプレートと接触することを回避できる。従って、基板に複雑な回路パターンを設けることができる。更に、基板は、カードが通過する開口を囲む接地配線パターンを備えているので、カード挿入口へ飛ぶ静電気を捕捉することができる。また、基板は、ベースプレートとの接触箇所から静電気を逃がすことはできないものの、接地配線パターンと電気的に接続された可撓性の配線部材を備えているので、接地配線パターンをカードリーダ本体に対して電気的に接続する作業を容易に行うことができる。これにより、接地配線パターンおよび可撓性の配線部材を介して、カード挿入口から基板へ印加される静電気を捕捉して逃がすことができるので、静電気による誤作動や基板の故障が発生するおそれを少なくすることができ、静電気の影響を受けにくくすることができる。
【００１０】
本発明において、前記可撓性の配線部材は、リード線であることが好ましい。リード線は可撓性が高いので、カードリーダ本体の側へ引き回す作業が容易である。また、基板との接続作業、および、カードリーダ本体との接続作業が容易である。
【００１１】
本発明において、前記基板には、前記接地配線パターンに対して電気的に接続されたスルーホールが形成され、前記リード線の一端がスルーホールに挿入されることが好ましい。このように、スルーホールにリード線を挿入する構造とすれば、基板の厚みを利用してリード線を接続することができる。従って、リード線の接続に必要な基板上のスペースが少なくて済む。
【００１２】
本発明において、前記可撓性の配線部材は、金属製の固定部材によって前記ベースプレートおよび前記カードリーダ本体の少なくとも一方に固定されることが好ましい。このようにすると、配線部材とカードリーダ本体とを確実に導通させることができる。
【００１３】
本発明において、前記固定部材は、前記ベースプレートを前記カードリーダ本体に固定する部材として兼用されることが好ましい。このようにすると、部品点数を少なくすることができる。
【００１４】
本発明において、前記接地配線パターンは、前記開口に向かって突出する複数の突起が前記開口の縁に沿う方向に並ぶギザギザ状の部分を備えることが好ましい。このようなパターン形状は、カード挿入口へ飛ぶ静電気を捕捉しやすい。従って、基板上の回路パターンや光源などの電子部品へ静電気が飛ぶおそれを少なくすることができる。
【００１５】
本発明において、前記接地配線パターンは、前記開口を全周で囲むことが好ましい。このようにすると、カード挿入口へ飛ぶ静電気を逃がすおそれが少ないので、基板上の回路パターンや光源などの電子部品へ静電気が飛ぶおそれを少なくすることができる。
【００１６】
次に、本発明は、上記のカード挿入部と、前記カード挿入部が固定されるカードリーダ本体と、を有することを特徴とする。このようなカードリーダは、カードリーダ本体とカード挿入部の基板とが電気的に接続されており、カード挿入口へ飛ぶ静電気を捕捉してカードリーダ本来側へ流すことができる。従って、カード挿入口の周りを発光させるための
光源が搭載された基板の故障や誤作動を少なくすることができる。
【発明の効果】
【００１７】
本発明によれば、カード挿入部の外面を発光させることができ、カード挿入口の周りを発光させる演出を行うことができる。また、光源が搭載された基板とベースプレートの間には絶縁部材が介在するので、基板の裏面に形成された回路パターンや基板を貫通するスルーホールがベースプレートと接触することを回避できる。従って、基板に複雑な回路パターンを設けることができる。更に、基板は、カードが通過する開口を囲む接地配線パターンを備えているので、カード挿入口へ飛ぶ静電気を捕捉することができる。また、基板は、ベースプレートとの接触箇所から静電気を逃がすことはできないものの、接地配線パターンと電気的に接続された可撓性の配線部材を備えているので、接地配線パターンをカードリーダ本体に対して電気的に接続する作業を容易に行うことができる。これにより、接地配線パターンおよび可撓性の配線部材を介して、カード挿入口から基板へ印加される静電気を捕捉して逃がすことができるので、静電気による誤作動や基板の故障が発生するおそれを少なくすることができ、静電気の影響を受けにくくすることができる。
【図面の簡単な説明】
【００１８】
【図１】本発明を適用したカードリーダの主要部の分解斜視図である。
【図２】カード挿入部に配置される基板の平面図および接地配線パターンの部分拡大図である。
【図３】リード線の接続構造を模式的に示す説明図である。
【発明を実施するための形態】
【００１９】
（全体構成）
以下、図面を参照しながら、本発明を適用したカードリーダ１の実施形態を説明する。図１は、本発明を適用したカードリーダ１の主要部の分解斜視図である。本明細書において、ＸＹＺの３方向は互いに直交する方向である。Ｘ方向はカードリーダ１の前後方向である。カード２はカードリーダ１に対してＸ１方向に挿入され、カードリーダ１からＸ２方向に取り出される。Ｙ方向はカードリーダ１の幅方向であり、Ｙ方向の一方側をＹ１、他方側をＹ２とする。Ｚ方向はカードリーダ１の高さ（厚さ）方向であり、Ｚ方向の一方側をＺ１、他方側をＺ２とする。
【００２０】
カード２は、例えば、厚さが０．７〜０．８ｍｍ程度の略長方形状の塩化ビニール製のカードである。カード２の裏面には、磁気データが記録される磁気ストライプ（図示省略）が形成されている。また、カード２には、ＩＣチップが内蔵されており、カード２の表面には、ＩＣチップの外部接続端子（図示省略）が形成されている。なお、カード２には、磁気ストライプまたは外部接続端子のいずれか一方のみが形成されても良い。また、カード２は、厚さが０．１８〜０．３６ｍｍ程度のＰＥＴ（ポリエチレンテレフタレート）カードであっても良いし、所定の厚さの紙カード等であっても良い。
【００２１】
カードリーダ１の前端（Ｘ２方向の端部）には、カード２が挿入されるカード挿入口３が開口する。カードリーダ１は、カード挿入口３が形成されたカード挿入部４と、カード挿入口３と繋がるカード通路６が形成されたカードリーダ本体５を備える。カードリーダ本体５は、カード通路６へ挿入されたカード２の磁気ストライプに記録された磁気データの読取りや磁気データの書込みを行う磁気ヘッドや、カード２のＩＣチップの外部接続端子に接触してカード２とデータの通信を行うＩＣ接点ブロック等を備えている。カード挿入部４は、カードリーダ本体５のＸ２方向の端部に取り付けられる。
【００２２】
カード挿入部４は、４個の光源７〜１０と、４個の光源７〜１０が実装されるリジッド基板１１と、リジッド基板１１が固定される金属製のベースプレート１２とを備えている
。リジッド基板１１とベースプレート１２の間には絶縁部材１５が配置される。また、カード挿入部４は、平板状に形成される導光部材１３と、カード挿入口３が形成されるカバー部材１４とを備えている。ベースプレート１２およびリジッド基板１１は、Ｙ方向を長辺方向とする略長方形の平板状である。また、ベースプレート１２は金属板であり、絶縁部材１５はシート状の樹脂部材である。
【００２３】
ベースプレート１２は、カードリーダ本体５のフレーム５０の対角位置に設けられたボス部５１、５２にＸ２方向から当接する。ボス部５１は、フレーム５０におけるＺ１方向とＹ１方向の間の角部に設けられ、ボス部５２は、フレーム５０におけるＺ２方向とＹ２方向の間の角部に設けられている。ベースプレート１２は、Ｘ方向から見てボス部５１、５２と重なる位置に形成されたネジ孔１２ｂ、１２ｃを備える。ボス部５１、５２に対してＸ１方向から挿入した金属製のネジ５３、５４の先端をネジ孔１２ｂ、１２ｃにネジ止めすることによって、ベースプレート１２がフレーム５０に対して固定される。絶縁部材１５には、Ｘ方向から見てベースプレート１２のネジ孔１２ｂ、１２ｃと重なる部位を切り欠いた切欠き１５ｂ、１５ｃが形成されている。また、リジッド基板１１には、Ｘ方向から見てベースプレート１２のネジ孔１２ｂ、１２ｃおよび絶縁部材１５の切欠き１５ｂ、１５ｃと重なる位置を切り欠いた切欠き１１ｂ、１１ｃが形成されている。
【００２４】
カード挿入部４を構成する部材のうち、リジッド基板１１は、ベースプレート１２に対してカードリーダ本体５とは反対側（Ｘ２方向）に配置される。導光部材１３はリジッド基板１１より一回り小さく、リジッド基板１１にＸ２方向から当接する。カバー部材１４は、リジッド基板１１および導光部材１３をベースプレート１２とは反対側（Ｘ２方向）から覆うように配置される。
【００２５】
カバー部材１４およびリジッド基板１１は、対角位置の２箇所がネジ１７、１８によってベースプレート１２に固定される。絶縁部材１５は、カバー部材１４およびリジッド基板１１をネジ１７、１８によって固定する際、ベースプレート１２とリジッド基板１１の間に介在するように配置され、カバー部材１４およびリジッド基板１１と一緒にベースプレート１２に固定される。カード挿入部４は、ベースプレート１２をフレーム５０に対して固定することによって、カードリーダ本体５に対して固定される。
【００２６】
ベースプレート１２、絶縁部材１５、リジッド基板１１、および導光部材１３には、それぞれ、カード２が通過する貫通孔である開口１２ａ、１５ａ、１１ａ、１３ａが形成されている。また、カバー部材１４には、カード２が挿入されるカード挿入口３が形成されている。開口１２ａ、１５ａ、１１ａ、１３ａは、Ｙ方向を長手方向とする長円状に形成されており、カード挿入口３とＸ方向に重なっている。開口１２ａ、１５ａ、１１ａ、１３ａは、カード２が通過するカード挿入路を構成する。
【００２７】
導光部材１３は、左右方向を長辺方向とする略長方形の平板状であり、導光部材１３の厚さ方向とカードリーダ１の前後方向であるＸ方向とが一致するように配置されている。導光部材１３は、Ｙ方向の幅およびＺ方向の高さがリジッド基板１１より小さい。導光部材１３は、略長方形の枠状に形成されており、Ｘ方向から見たときに、カード挿入口３の全周を囲んでいる。導光部材１３の対角方向の２箇所の角部には、面取り部１３ｂが形成されている。
【００２８】
光源７〜１０は、ＬＥＤ（Ｌｉｇｈｔ  Ｅｍｉｔｔｉｎｇ  Ｄｉｏｄｅ）であり、リジッド基板１１の前面１１ｅに実装されている。リジッド基板１１には、光源７〜１０の駆動制御回路が実装されている。導光部材１３は、リジッド基板１１の前面１１ｅに接触する。光源７、８は、リジッド基板１１に当接した導光部材１３のＹ２方向に配置され、光源９、１０は、導光部材１３のＹ１方向に配置される。また、光源７〜１０は、Ｘ方向に
おいて、導光部材１３と同じ位置に配置されており、導光部材１３の端面に向かって光を照射する。光源７、９は、光源８の発光面が導光部材１３のＹ２方向の端面およびＹ１方向の端面に対向するように配置される。また、光源８、１０は、光源８の発光面が導光部材１３の面取り部１３ｂに対向するように配置されている。光源７〜１０は、導光部材１３の端面に接触する。
【００２９】
導光部材１３が接触するリジッド基板１１の前面１１ｅは白色であり、前面１１ｅは、導光部材１３からＸ１方向に向かって発せられる光をＸ２方向に向かって反射する反射面となっている。なお、前面１１ｅは光を反射する反射面であればよく、前面１１ｅの色は、白色以外の色であっても良い。
【００３０】
カバー部材１４は、樹脂材料で形成されている。また、カバー部材１４は、半透明の光透過性材料で形成されている。本形態では、カバー部材１４は、乳白色の光透過性材料で形成されている。なお、カバー部材１４は、灰色等の乳白色以外の色の、半透明の光透過性材料で形成されても良い。カバー部材１４は、平板状かつ略長方形の枠状に形成される基部１４ａと、基部１４ａからＸ２方向に向かって突出する突起部１４ｂとから構成されている。突起部１４ｂは、Ｘ方向を軸方向とするとともにＹ方向に細長い略四角筒状であり、突起部１４ｂの内周側は、カード挿入口３となっている。また、突起部１４ｂは、基部１４ａの中心からＸ２方向に向かって突出しており、基部１４ａの前面１４ｃは、突起部１４ｂの全周を囲む略長方形の枠状に形成されている。
【００３１】
カバー部材１４は、ネジ１７、１８によってリジッド基板１１および絶縁部材１５と一緒にベースプレート１２に固定されている。また、カバー部材１４は、光源７〜１０、リジッド基板１１および導光部材１３をＸ２方向から覆っている。本形態では、基部１４ａの前面１４ｃが、カードリーダ１が搭載されるゲーム機への取付面になっている。ゲーム機にカードリーダ１が取り付けられた状態では、ゲーム機の前面パネルにおいて突起部１４ｂのみが露出している。また、ゲーム機にカードリーダ１が取り付けられた状態では、基部１４ａの前面１４ｃは、遮光性の部材によって覆われている。
【００３２】
本形態では、左右方向における突起部１４ｂの幅は、左右方向における導光部材１３の幅よりも狭い。光源７〜１０は、導光部材１３のＹ方向の両側に配置されるので、突起部１４ｂのＹ方向の外側に配置されている。すなわち、本形態では、Ｘ２方向から見たときに、光源７〜１０は、カード挿入部４の、ゲーム機の前面パネルにおいて露出する部分（すなわち、突起部１４ｂ）と重ならない位置に配置されている。
【００３３】
本形態のカードリーダ１は、カジノやゲームセンター等に設置されるゲーム機に搭載されるものであり、カードリーダ１にカード２が差し込まれたままの状態でカードリーダ１が使用される。また、カードリーダ１にカード２が差し込まれているときには、光源７〜１０は導光部材１３に向かって光を照射しており、カード挿入部４のカード挿入口３の周辺部分は光っている。
【００３４】
（接地配線パターン）
図２はリジッド基板１１の平面図および接地配線パターン２０の部分拡大図である。図２（ａ）はＸ２方向から見たリジッド基板１１の平面図である。また、図２（ｂ）は図２（ａ）の領域Ａの部分拡大図である。リジッド基板１１は、Ｘ２方向を向く基板面である前面１１ｅに光源７〜１０が搭載されるため、前面１１ｅには、光源７〜１０の駆動制御回路を構成する図示しない回路パターン（以下、ＬＥＤ用回路パターンという）が形成されている。また、前面１１ｅには、カード挿入路を構成する開口１１ａを囲む領域に接地配線パターン２０が形成されている。本形態では、接地配線パターン２０として、開口１１ａを全周で囲む長円状のパターンが形成されている。本形態の接地配線パターン２０は
、銅箔をハンダメッキで覆って形成された導電性のパターンである。
【００３５】
図２（ｂ）に示すように、接地配線パターン２０は、開口１１ａに向かって突出する複数の突起が前記開口の縁に沿う方向に並ぶギザギザ状のパターンである。接地配線パターン２０は、開口１１ａに近接した領域に形成されている。本形態では、開口１１ａからの距離が０．５ｍｍ〜０．７ｍｍ程度の位置に接地配線パターン２０が形成されている。なお、接地配線パターン２０は、開口１１ａを全周で囲むパターンであることが好ましいが、開口１１ａの少なくとも一部を囲む領域に形成されていればよい。
【００３６】
図２（ａ）に示すように、リジッド基板１１には、Ｚ２方向の外周縁に沿う５箇所にスルーホール２１〜２５が形成されている。スルーホール２５は、リジッド基板１１に形成された図示しない配線パターンによって接地配線パターン２０と電気的に接続されている。接地配線パターン２０およびスルーホール２５は、リジッド基板１１に搭載される光源７〜１０とは絶縁されている。すなわち、リジッド基板１１上のＬＥＤ用回路パターンと、接地配線パターン２０とは絶縁されている。
【００３７】
４箇所のスルーホール２１〜２４は、ＬＥＤ用回路パターンと接続される。スルーホール２１〜２４には、ＬＥＤ用回路パターンに制御用の信号を供給する３本の信号線、および、電源供給用のリード線が接続される。なお、スルーホールの位置や数は、接続すべき配線や回路パターンに応じて適宜変更可能である。
【００３８】
図１に示すように、ベースプレート１２には、Ｚ２方向の端縁のＹ方向の中央部分をＺ１方向に切り欠いた切欠き１２ｄが形成されている。切欠き１２ｄは、Ｘ方向から見てリジッド基板１１のスルーホール２１〜２４と重なる領域に形成されている。また、絶縁部材１５にも、Ｚ２方向の端縁のＹ方向の中央部分を切り欠いた切欠き１５ｄが形成されている。切欠き１５ｄは、ベースプレート１２の切欠き１２ｄと重なっている。従って、リジッド基板１１をベースプレート１２に固定すると、スルーホール２１〜２４は絶縁部材１５およびベースプレート１２によって覆われることがなく、ベースプレート１２の切欠き１２ｄの内側に露出した状態となる。このため、ＬＥＤ用の３本の信号線および電源供給用のリード線をこの切欠き１２ｄおよび切欠き１５ｄを介してカードリーダ本体５に接続できる。
【００３９】
（リード線）
カード挿入部４は、リジッド基板１１に接続される可撓性の配線部材であるリード線３０を備える。リード線３０は、リジッド基板１１に形成された接地配線パターン２０をカードリーダ本体５と電気的に接続する部材である。図１に示すように、リード線３０は、一端側の芯線３１が露出した状態となっており、この芯線３１をスルーホール２５に挿入して半田付けすることにより、リジッド基板１１に接続される。
【００４０】
図３は、リード線３０の接続構造を模式的に示す説明図であり、ベースプレート１２、絶縁部材１５、およびリジッド基板１１のＹ２方向の端部をＺ２方向から見た部分平面図である。図１、図３に示すように、リード線３０の他端に設けられた圧着端子３２は、カードリーダ本体５のフレーム５０に対してベースプレート１２を固定する２本のネジ５３、５４のうちの１本によって、ベースプレート１２と一緒にフレーム５０に固定される。本形態では、フレーム５０およびベースプレート１２のＺ２方向とＹ２方向の間の角部を固定するネジ５４が、圧着端子３２およびボス部５２に通され、ベースプレート１２にネジ止めされる。これにより、リード線３０の他端がフレーム５０およびベースプレート１２に対して固定される。図３に示すように、圧着端子３２は、ネジ５４の頭部とボス部５２の端面との間に挟まれるので、リード線３０はフレーム５０およびネジ５４と電気的に接続される。そして、フレーム５０はベースプレート１２と当接しており、ネジ５４はベ
ースプレート１２にねじ止めされるため、フレーム５０およびネジ５４を介して、リード線３０とベースプレート１２とが電気的に接続される。なお、図３ではＬＥＤ用の信号線および電源供給用のリード線の図示を省略しているが、リード線３０は、ＬＥＤ用の信号線および電源供給用のリード線と同様に切欠き１２ｄおよび切欠き１５ｂを介して、フレーム５０に接続される。
【００４１】
カードリーダ本体５のフレーム５０は接地されており、フレームグランド電位となっている。従って、リード線３０によってフレーム５０と接地配線パターン２０とを電気的に接続することにより、接地配線パターン２０が捕捉した静電気をフレーム５０へ逃がすことができる。カード挿入部４は、カード挿入口３にカード２が挿入される際、帯電した手指からカード挿入口３へ静電気が飛ぶことがある。本形態では、リジッド基板１１の開口１１ａを囲むように接地配線パターン２０が形成されているので、静電気を接地配線パターン２０によって捕捉してフレーム５０へ逃がすことができ、静電気による光源７〜１０およびＬＥＤ用回路パターンの故障や誤動作を少なくすることができる。さらに、静電気によるカードリーダ本体５の制御用基板や各種回路等の故障や誤動作なども抑制できる。
【００４２】
（本形態の主な効果）
以上説明したように、本形態のカードリーダ１は、カード挿入部４のカバー部材１４が光透過性であり、カバー部材１４の内側には、光源７〜１０を搭載したリジッド基板１１が配置されている。従って、カード挿入口３の周りを発光させる演出を行うことができる。また、光源７〜１０が搭載されたリジッド基板１１とベースプレート１２の間には絶縁部材１５が介在するので、リジッド基板１１におけるＸ１方向の基板面に形成された回路パターンやリジッド基板１１を貫通するスルーホールがベースプレート１２と接触することを回避できる。従って、リジッド基板１１に複雑な回路パターンを設けることができる。更に、リジッド基板１１は、カード２が通過する開口１１ａを囲む接地配線パターン２０を備えているので、カード挿入口３へ飛ぶ静電気を捕捉することができる。また、リジッド基板１１は、ベースプレート１２とは接触しないものの、接地配線パターン２０と電気的に接続されたリード線３０を備えているので、接地配線パターン２０をカードリーダ本体５に対して電気的に接続する作業を容易に行うことができる。これにより、接地配線パターン２０およびリード線３０を介して、カード挿入口３からリジッド基板１１へ印加される静電気を捕捉して逃がすことができる。よって、静電気によってリジッド基板１１上の光源７〜１０やその駆動制御回路が故障や誤動作を発生させるおそれを少なくすることができる。
【００４３】
本形態のカード挿入部４は、リジッド基板１１にスルーホール２５が形成され、リード線３０の一端がスルーホール２５に挿入されてリジッド基板１１に固定される。リード線３０は可撓性が高いので、カードリーダ本体５の側へ引き回して接続する作業が容易である。また、スルーホール２５にリード線３０を挿入して半田付けすることにより、リジッド基板１１の厚みを利用してリード線３０を接続することができる。従って、リード線３０の接続に必要なリジッド基板１１上のスペースが少なくて済む。
【００４４】
本形態では、リード線３０の他端は、金属製のネジ５４によって、ベースプレート１２およびフレーム５０に固定される。具体的には、ネジ５４の頭部とフレーム５０のボス部５２との間にリード線３０の圧着端子３２を挟んでネジ止めする。従って、圧着端子３２とカードリーダ本体５のフレーム５０とを確実に導通させることができ、接地配線パターン２０とフレーム５０とを確実に導通させることができる。また、導通をとるための部材と固定部材とを兼用できる。更に、このネジ５４は、ベースプレート１２をフレーム５０に固定する固定部材として兼用されている。従って、部品点数を少なくすることができる。
【００４５】
本形態では、リジッド基板１１に形成された接地配線パターン２０は、開口１１ａに向かって突出する複数の突起が開口１１ａの縁に沿う方向に並ぶギザギザ状になっているパターンである。このようなパターンは、カード挿入口３へ飛ぶ静電気を捕捉しやすい。また、接地配線パターン２０は、開口１１ａを全周で囲んでいるので、静電気を逃がすおそれが少ない。従って、リジッド基板１１上の回路パターンや電子部品へ静電気が飛ぶおそれを少なくすることができる。
【００４６】
（変形例）
（１）上記形態は、ベースプレート１２をフレーム５０に対して固定するネジ５４によってリード線３０の圧着端子３２をフレーム５０に固定する構造であったが、ベースプレート１２に対して直接圧着端子３２をネジ止めする構造としてもよい。この場合には、ベースプレート１２およびネジ５３、５４を介してフレーム５０と圧着端子３２とを導通させることができる。
【００４７】
（２）上記形態は、スルーホール２５を利用してリード線３０をリジッド基板１１に接続する構造であったが、リジッド基板１１の基板面にリード線３０の芯線３１を半田付けしてもよい。
【符号の説明】
【００４８】
１…カードリーダ、２…カード、３…カード挿入口、４…カード挿入部、５…カードリーダ本体、６…カード通路、７〜１０…光源、１１…リジッド基板、１１ａ…開口、１１ｂ、１１ｃ…切欠き、１１ｅ…前面、１２…ベースプレート、１２ａ…開口、１２ｂ、１２ｃ…ネジ孔、１２ｄ…切欠き、１３…導光部材、１３ａ…開口、１３ｂ…面取り部、１４…カバー部材、１４ａ…基部、１４ｂ…突起部、１４ｃ…前面、１５…絶縁部材、１５ａ…開口、１５ｂ、１５ｃ、１５ｄ…切欠き、１７、１８…ネジ、２０…接地配線パターン、２１〜２５…スルーホール、３０…リード線、３１…芯線、３２…圧着端子、５０…フレーム、５１、５２…ボス部、５３、５４…ネジ
【図１】
2019148862.tif 000003
【図２】
2019148862.tif 000004
【図３】
2019148862.tif 000005